(57)【要約】【課題】記録動作に復帰するまでの時間が長くなったり、インクが不吐出になったりすることなく、ジャム処理作業の作業性を高める。【解決手段】インクジェット記録装置１０は、記録ヘッドユニット１４と、搬送部ユニット１６と、担持面７２ａが吐出面に対して対向する第１態様と、担持面７２ａが吐出面に対して離間する第２態様とをとり得るように、記録ヘッドユニット１４と搬送部ユニット１６とを連結するヒンジ２４（連結機構）と、筐体１２と、を備え、記録ヘッドユニット１４および搬送部ユニット１６は、担持面７２ａが第１態様となる状態で筐体１２内における第１位置Ｅ１に位置づけられるとともに、引出し方向Ｙにおける互いの位置関係を保持しながら筐体１２の外部における第２位置Ｅ２に引出し口３８を通して引き出し可能であり、さらに、担持面７２ａが第２態様をとり得る状態で第２位置Ｅ２に位置づけられることを特徴とする。【選択図】図５
2011212945.tif 000002
【特許請求の範囲】
【請求項１】
インク吐出口が形成された吐出面を有するインクジェット記録ヘッドを備えた記録ヘッドユニットと、
被記録媒体を担持する担持面を有するとともに、その担持面に担持された被記録媒体を搬送する搬送部ユニットと、
前記担持面が前記吐出面に対して対向する第１態様と、この第１態様の場合よりも前記担持面が前記吐出面に対して離間する第２態様とをとり得るように、前記記録ヘッドユニットと前記搬送部ユニットとを連結する連結機構と、
前記記録ヘッドユニットと前記搬送部ユニットとを内部に収容するとともに、前記記録ヘッドユニットと前記搬送部ユニットとを外部に引き出すための引出し口を有する筐体と、を備え、
前記記録ヘッドユニットおよび前記搬送部ユニットは、
前記担持面が前記第１態様となる状態で前記筐体内における被記録媒体への記録を実行する第１位置に位置づけられるとともに、引出し方向における互いの位置関係を保持しながら前記筐体の外部における第２位置に前記引出し口を通して引き出し可能であり、さらに、前記担持面が前記第２態様をとり得る状態で前記第２位置に位置づけられることを特徴とする、インクジェット記録装置。
【請求項２】
前記連結機構は、記録ヘッドユニットと搬送部ユニットとを回動可能に連結するヒンジを有し、
前記記録ヘッドユニットおよび前記搬送部ユニットが前記第２位置に位置するとき、前記ヒンジが前記筐体の内部に位置する、請求項１に記載のインクジェット記録装置。
【請求項３】
前記ヒンジの軸線が延びる方向は、前記搬送方向に対して平行方向である、請求項１または２に記載のインクジェット記録装置。
【請求項４】
前記搬送部ユニットに供給される被記録媒体を収容する被記録媒体収容部をさらに備え、
前記被記録媒体収容部は、被記録媒体の前記引出し方向の先方側に位置する側縁に当接して当該方向における被記録媒体の位置を規定する位置決め部と、被記録媒体の前記引出し方向の後方側に位置する側縁を被記録媒体のサイズに応じてガイドするガイド部とを有する、請求項３に記載のインクジェット記録装置。
【請求項５】
前記担持面が前記第２態様をとるときに、前記第２位置において前記吐出面を水平にした状態で前記記録ヘッドユニットを支持する第１支持部と、
前記担持面が前記第２態様をとるときに、前記第２位置において前記搬送部ユニットを傾斜させた状態で支持する第２支持部とをさらに備える、請求項１ないし４のいずれかに記載のインクジェット記録装置。
【請求項６】
前記搬送部ユニットは、前記搬送部ユニットの担持面から離間し、かつ、当該担持面に対向して配置された押え部を有する、請求項１ないし５のいずれかに記載のインクジェット記録装置。
【請求項７】
前記連結機構は、前記記録ヘッドユニットと前記搬送部ユニットとの前記引出し方向における位置関係を保持する、請求項１ないし６のいずれかに記載のインクジェット記録装置。
【発明の詳細な説明】
【技術分野】
【０００１】
本発明は、インク吐出口が形成された吐出面を有するインクジェット記録ヘッドと、インクジェット記録ヘッドに被記録媒体を搬送する搬送部ユニットとを備える、インクジェット記録装置に関する。
【背景技術】
【０００２】
一般的なインクジェット記録装置（プリンタ、コピー機等）では、筐体の内部にインクジェット記録ヘッド、搬送部ユニットおよび給紙カセット等が収容されており、給紙カセットに収容された用紙が、搬送部ユニットによってインクジェット記録ヘッドに対向する位置に搬送され、インクジェット記録ヘッドのインク吐出口から吐出されたインクによって用紙の表面に画像が記録される。そして、インクジェット記録ヘッドと搬送部ユニットとの間に位置する領域で紙詰まり（すなわちジャム）が発生したときには、詰まった用紙を手作業で除去するようにしていたが、当該領域には、手を入れるための十分な広さがないことから、その作業は容易ではなかった。
【０００３】
そこで、従来より、ジャム処理を容易に行うための様々な技術が提案されており、その一例が特許文献１に記載されている。この先行技術は、インクジェットヘッド（１２０）のフェイス面（１４５）にキャップ（１２２）を装着し、その後、搬送ベルト（１０７）等を筐体の外部に引き出すことによって、用紙を除去するようにしたものである。なお、上記括弧内数字は、特許文献１に記載された参照番号に対応している（以下、同じ。）。
【先行技術文献】
【特許文献】
【０００４】
【特許文献１】特開平１０−９１０５３（段落［００５６］、図８参照）
【発明の概要】
【発明が解決しようとする課題】
【０００５】
特許文献１に記載された先行技術では、インクジェットヘッド（１２０）を筐体の内部に残したまま、搬送ベルト（１０７）等を筐体の外部に引き出すようにしていたので、搬送ベルト（１０７）等を引き出すときには、搬送ベルト（１０７）の担持面に載った用紙がフェイス面（１４５）に装着されたキャップ（１２２）に当たって筐体の内部に落下するおそれがあり、落下した用紙を除去する作業が困難になる場合があった。
【０００６】
また、フェイス面（１４５）にキャップ（１２２）を装着する工程を省略した場合には、搬送ベルト（１０７）等を引き出す際に、担持面に載った用紙がフェイス面（１４５）を擦るため、インク吐出口が紙粉で詰まって、インクが不吐出になるおそれがあった。
【０００７】
本発明は、上記課題を解決するためになされたものであり、ジャム処理に際し、筐体の内部に用紙が落下することを抑制、または、用紙がフェイス面に擦ることを抑制できる、インクジェット記録装置を提供することを目的とする。
【課題を解決するための手段】
【０００８】
上記課題を解決するために、本発明に係るインクジェット記録装置は、インク吐出口が形成された吐出面を有するインクジェット記録ヘッドを備えた記録ヘッドユニットと、被記録媒体を担持する担持面を有するとともに、その担持面に担持された被記録媒体を搬送する搬送部ユニットと、前記担持面が前記吐出面に対して対向する第１態様と、この第１態様の場合よりも前記担持面が前記吐出面に対して離間する第２態様とをとり得るように、前記記録ヘッドユニットと前記搬送部ユニットとを連結する連結機構と、前記記録ヘッドユニットと前記搬送部ユニットとを内部に収容するとともに、前記記録ヘッドユニットと前記搬送部ユニットとを外部に引き出すための引出し口を有する筐体と、を備え、前記記録ヘッドユニットおよび前記搬送部ユニットは、前記担持面が前記第１態様となる状態で前記筐体内における被記録媒体への記録を実行する第１位置に位置づけられるとともに、引出し方向における互いの位置関係を保持しながら前記筐体の外部における第２位置に前記引出し口を通して引き出し可能であり、さらに、前記担持面が前記第２態様をとり得る状態で前記第２位置に位置づけられることを特徴とする。
【０００９】
この構成では、記録ヘッドユニットおよび搬送部ユニットが筐体の内部における第１位置に位置するときに、担持面が吐出面に対して対向する第１態様をとるので、担持面に載った被記録媒体にインク吐出口からインクを吐出して画像を記録することができる。
【００１０】
そして、記録ヘッドユニットおよび搬送部ユニットを筐体の外部の第２位置に引き出すときに、引出し方向における互いの位置関係を保持することができるので、筐体の内部に用紙が落下することを抑制、または、用紙が吐出面に擦ることを抑制できる。
【００１１】
さらに、記録ヘッドユニットおよび搬送部ユニットが第２位置において第２態様をとったときに、担持面が吐出面に対して離間するので、担持面と吐出面との間、或いはその近傍に詰まった被記録媒体を、吐出面を擦らないように除去することができる。
【発明の効果】
【００１２】
本発明によれば、上記の構成によって、ジャム処理の際に、筐体の内部に用紙が落下することを抑制、または、用紙が吐出面に擦ることを抑制できる。
【図面の簡単な説明】
【００１３】
【図１】図１は第１実施形態に係るインクジェット記録装置の構成（第１態様）を示す斜視図である。
【図２】図２は図１におけるII−II線断面図である。
【図３】図３は図１におけるIII−III線断面図である。
【図４】図４は記録ヘッドユニットおよび搬送部ユニットの構成を示す正面図である。
【図５】図５は第１実施形態に係るインクジェット記録装置のジャム処理工程を示す工程図であり、（Ａ）は、引出し口を開く工程を示す断面図、（Ｂ）は、記録ヘッドユニットおよび搬送部ユニットを第２位置に引き出す工程を示す断面図、（Ｃ）は、第２位置において「第２態様」をとる工程を示す断面図である。
【図６】図６はインクジェット記録装置１０の「第２態様」をとったときの状態を示す正面図である。
【図７】図７は第２実施形態に係るインクジェット記録装置のジャム処理工程を示す工程図であり、（Ａ）は、引出し口を開く工程を示す断面図、（Ｂ）は、記録ヘッドユニットおよび搬送部ユニットを第２位置に引き出す工程を示す断面図、（Ｃ）は、第２位置において「第２態様」をとる工程を示す断面図である。
【発明を実施するための形態】
【００１４】
以下に、本発明の好ましい実施形態に係るインクジェット記録装置について、図面を参照しながら説明する。なお、以下の各実施形態では、本発明をライン式のインクジェットプリンタに適用しているが、本発明は、シリアル式のインクジェットプリンタにも適用可能であり、また、ファクシミリやコピー機等にも適用可能である。
【００１５】
（第１実施形態）
［インクジェット記録装置の全体構成］
図１は、第１実施形態に係るインクジェット記録装置１０の構成を示す斜視図であり、図２は、図１におけるII−II線断面図であり、図３は、図１におけるIII−III線断面図である。
【００１６】
図１〜３に示すように、インクジェット記録装置１０は、筐体１２を有しており、筐体１２の内部には、「被記録媒体」としての用紙Ｐに画像を記録する記録ヘッドユニット１４と、記録ヘッドユニット１４に用紙Ｐを搬送する搬送部ユニット１６と、用紙Ｐを収容する給紙カセット１８とが、上から下にこの順で収容されている。また、筐体１２の内部には、給紙カセット１８から搬送部ユニット１６に用紙Ｐを供給する給紙部２０と、搬送部ユニット１６から筐体１２の上面（天板部３４ｆ）に用紙Ｐを排出する排紙部２２とが設けられており、これによって、給紙カセット１８から筐体１２の上面（天板部３４ｆ）に至る略Ｓ状の用紙搬送経路Ｒ（図３）が構成されている。
【００１７】
そして、図２に示すように、記録ヘッドユニット１４および搬送部ユニット１６には、「連結機構」としてのヒンジ２４と、ロック部２６と、ストッパ部２８とが設けられており、さらに、図３に示すように、搬送部ユニット１６には、用紙Ｐを押さえる押え部３０が設けられている。
【００１８】
［筐体の構成］
図１〜３に示すように、筐体１２は、上記の各部品を収容する略直方体状の本体部３４と、本体部３４の上面から上方に突出して形成され、排紙部２２の一部を収容する略直方体状の突出部３６とを有している。
【００１９】
図１に示すように、本体部３４は、平面視略四角形の底板部３４ａと、底板部３４ａの周縁部から立ち上がって形成された４枚の側板部３４ｂ〜３４ｅと、天板部３４ｆとを有しており、筐体１２の上面を構成する天板部３４ｆが、排紙部２２から排出される用紙Ｐを受ける「排紙トレイ」となっている。また、図２に示すように、筐体１２の前部に位置する側板部３４ｂには、記録ヘッドユニット１４と搬送部ユニット１６とを外部に引き出すための第１引出し口３８と、給紙カセット１８を外部に引き出すための第２引出し口４０とが形成されている。そして、第１引出し口３８の下部内縁には、第１引出し口３８を開閉する第１蓋体４２が第１ヒンジ４４を介して取り付けられており、第２引出し口４０の下部内縁には、第２引出し口４０を開閉する第２蓋体４６が第２ヒンジ４８を介して取り付けられている。
【００２０】
さらに、図２および図３に示すように、本体部３４の内部には、記録ヘッドユニット１４および搬送部ユニット１６が位置する上側領域Ｓ１と給紙カセット１８が位置する下側領域Ｓ２とを仕切る仕切板５０が設けられており、上側領域Ｓ１には、記録ヘッドユニット１４を、用紙Ｐの搬送方向（以下、「搬送方向Ｘ」という。）に対して直交する方向に案内するとともに、これを水平に支持する「第１支持部」としての一対のガイドレール５２が設けられている。なお、以下の説明では、搬送方向Ｘに対して直交する方向のうち、記録ヘッドユニット１４および搬送部ユニット１６を第１引出し口３８から引き出す方向を「引出し方向Ｙ」という。
【００２１】
図３に示すように、突出部３６は、「排紙トレイ」としての天板部３４ｆの端縁から立ち上がって形成された側板部３６ａを有しており、側板部３６ａには、用紙搬送経路Ｒを搬送されてきた用紙Ｐを筐体１２の上面（天板部３４ｆ）に排出する長孔状の排紙口５４が天板部３４ｆに対して平行方向に延びて形成されている。
【００２２】
［記録ヘッドユニット］
図１および図３に示すように、記録ヘッドユニット１４は、パーソナルコンピュータ等のような画像入力装置（図示省略）等から与えられた画像情報に基づいて、用紙Ｐに画像を記録する部分であり、異なる色（本実施形態では、シアン、イエロー、マゼンダおよびブラックの４色）のインクを収容する複数（本実施形態では４個）のインクカートリッジ５６ａ〜５６ｄ（図１）と、インクカートリッジ５６ａ〜５６ｄから供給されたインクを用紙Ｐに向けて吐出する複数（本実施形態では４個）のインクジェット記録ヘッド５８ａ〜５８ｄと、インクカートリッジ５６ａ〜５６ｄのインクをインクジェット記録ヘッド５８ａ〜５８ｄに供給するインクチューブ（図示省略）と、ホルダ６０とを有している。
【００２３】
図１に示すように、インクジェット記録ヘッド５８ａ〜５８ｄのそれぞれは、搬送方向Ｘに対して直交する方向に延びるライン式の記録ヘッドであり、図４に示すように、複数のインク吐出口（図示省略）が形成された吐出面６２ａ〜６２ｄを有している。そして、インクジェット記録ヘッド５８ａ〜５８ｄのそれぞれが、吐出面６２ａ〜６２ｄが水平面に対して平行になるようにして、搬送方向Ｘに対して平行方向に並んで配置されている。
【００２４】
図１および図３に示すように、ホルダ６０は、インクカートリッジ５６ａ〜５６ｄとインクジェット記録ヘッド５８ａ〜５８ｄとを、相互の位置関係を保持しながら支持する支持部材であり、下面に開口部（図示省略）を有する箱状のホルダ本体６４を有している。そして、図２および図３に示すように、ホルダ本体６４における引出し方向Ｙに対する直交方向の一方側面６４ａおよび他方側面６４ｂのそれぞれには、ガイドレール５２に形成された長孔５２ａに嵌合される２つのガイドローラ６６ａ，６６ｂが、引出し方向Ｙに対して平行方向に間隔を隔てて設けられている。
【００２５】
本実施形態における搬送方向Ｘおよび引出し方向Ｙは、水平面に対して平行方向であり、長孔５２ａが延びる方向も、水平面に対して平行方向である。したがって、２つのガイドローラ６６ａ，６６ｂがガイドレール５２（第１支持部）の長孔５２ａに嵌合されることによって、ヘッドユニット１４が、吐出面６２ａ〜６２ｄを水平に保持しながら、長孔５２ａに沿って移動可能となる。
【００２６】
また、記録ヘッドユニット１４を第１引出し口３８から最大に引き出した状態（図５（Ｂ））では、ガイドローラ６６ａが長孔５２ａの端部内面に当接され、それ以上の引き出しが禁止されるので、記録ヘッドユニット１４および搬送部ユニット１６が第１引出し口３８から引き出されたときでも、ガイドローラ６６ａよりも後方に設けられたヒンジ２４は、必ず筐体１２の内部に位置することになる。
【００２７】
なお、ホルダ本体６４の形状は、箱状に限定されるものではなく、たとえば、上面にも開口部を有する枠状であってもよい。
【００２８】
［搬送部ユニット］
図４は記録ヘッドユニット１４および搬送部ユニット１６の構成を示す正面図である。
【００２９】
図４に示すように、搬送部ユニット１６は、搬送方向Ｘに対して平行方向に間隔を隔てて、互いに平行に配置された２本のローラ７０ａ，７０ｂと、２本のローラ７０ａ，７０ｂ間に環状に掛け渡された搬送ベルト７２と、これらを保持するホルダ７４とを有している。
【００３０】
ローラ７０ａ，７０ｂは、搬送ベルト７２を弛みなく支持する円柱状の部材であり、ローラ７０ａ，７０ｂの少なくと一方の回転軸には、筐体１２の内部に配置されたモータ（図示省略）の出力軸がカップリングを介して着脱可能に接続されている。つまり、搬送部ユニット１６が筐体１２の内部の所定位置（後述の第１位置Ｅ１）に位置するときには、ローラ７０ａ，７０ｂの少なくと一方の回転軸がモータの出力軸に接続され、搬送部ユニット１６が筐体１２の外部に引き出されるときには、ローラ７０ａ，７０ｂの少なくと一方の回転軸がモータの出力軸から切り離されるようになっている。
【００３１】
搬送ベルト７２は、用紙Ｐを担持する担持面７２ａを有する無端ベルトであり、筐体１２の内部では、上方を向いた担持面７２ａが吐出面６２ａ〜６２ｄに対向して水平に配置されている。したがって、モータで搬送ベルト７２を回転させることによって、担持面７２ａに載せられた用紙Ｐを、吐出面６２ａ〜６２ｄに対向する位置に水平方向から順次搬送することができる。
【００３２】
ホルダ７４は、ローラ７０ａ，７０ｂと搬送ベルト７２とを、相互の位置関係を保持しながら支持する支持部材であり、上面に開口部（図示省略）を有する箱状のホルダ本体７８を有している。また、ホルダ本体７８の内部には、給紙部２０の少なくとも一部（上側部分１００ｂ等）が取り付けられており、ホルダ本体７８の開口部には、複数（本実施形態では５本）の押え部３０が、搬送方向Ｘに対して平行方向に並べて配置されている。
【００３３】
なお、ホルダ本体７８の形状は、箱状に限定されるものではなく、たとえば、下面にも開口部を有する枠状であってもよい。また、本実施形態では、「ベルト式」の搬送部ユニット１６を用いているが、「ローラ式」の搬送部ユニット（図示省略）を用いるようにしてもよい。
【００３４】
［ヒンジ等の構成］
図２に示すように、「連結機構」としてのヒンジ２４は、搬送部ユニット１６における引出し方向Ｙの後端部と、記録ヘッドユニット１４における引出し方向Ｙの後端部とを回動自在に連結するものであり、ヒンジ２４の軸線（図示省略）は、搬送方向Ｘに対して平行方向に延びるように設計されている。そして、ヒンジ２４の近傍には、記録ヘッドユニット１４に対する搬送部ユニット１６の所定角度以上の回動を禁止するとともに、搬送部ユニット１６を傾斜した状態で支持する「第２支持部」としてのストッパ部２８が設けられている。さらに、搬送部ユニット１６における引出し方向Ｙの先端部には、ロック部２６が設けられており、記録ヘッドユニット１４における引出し方向Ｙの先端部には、ロック部２６が着脱可能に係止される係止部８０が設けられている。
【００３５】
したがって、ロック部２６が係止部８０に係止されることによって、担持面７２ａ（図４）が、吐出面６２ａ〜６２ｄに対向している態様（以下、「第１態様」という。）となり、一方、係止部８０に対するロック部２６の係止が解除されることによって、担持面７２ａが、第１態様の場合よりも吐出面６２ａ〜６２ｄに対して離間する態様（以下、「第２態様」という。）となる。
【００３６】
なお、「連結機構」は、記録ヘッドユニット１４と搬送部ユニット１６とを、担持面７２ａが「第１態様」と「第２態様」とをとり得るように連結するものであればよく、ヒンジ２４に限定されるものではない。たとえば、搬送部ユニット１６に「回動軸」を設けるとともに、記録ヘッドユニット１４に「軸受け部」を設け、記録ヘッドユニット１４および搬送部ユニット１６を引き出したときに、「軸受け部」に「回転軸」を係合させて「連結機構」を構成してもよい。
【００３７】
［押え部の構成］
図４に示すように、押え部３０は、搬送部ユニット１６の担持面７２ａから離間し、かつ、当該担持面７２ａに対向して配置された棒状の部材であり、押え部３０の両端部は脚部８４を介してホルダ本体７８の上端部に固定されている。押え部３０は、担持面７２ａが「第２態様（図５（Ｃ）、図６）」をとったときに、記録ヘッドユニット１４と搬送部ユニット１６との間に位置する領域で詰まった用紙Ｐを押して、これを搬送部ユニット１６側に移動させる部材である。担持面７２ａが「第１態様（図４）」をとったときは、押え部３０は、インクジェット記録ヘッド５８ａ〜５８ｄの側方であって、かつ、吐出面６２ａ〜６２ｄよりも上方に位置する退避スペースＴに退避される。したがって、記録動作においては、搬送部ユニット１６で搬送される用紙Ｐが押え部３０に引っ掛かることはなく、押え部３０が記録動作の妨げになるのを防止することができる。
【００３８】
なお、押え部３０は、担持面７２ａから離間し、かつ、担持面７２ａに対向した状態で搬送部ユニット１６に設けられていればよく、その形状は、棒状の他、板状やフック状等であってもよい。また、脚部８４は、ホルダ本体７８と一体に形成されてもよい。
［給紙カセット］
給紙カセット１８は、図２に示すように、上面に開口部９０ａを有する箱状のカセット本体９０と、カセット本体９０の底部に設けられ、コイルバネ等（図示省略）によって持ち上げられる用紙受け部９２と、カセット本体９０の内部に固定的に設けられ、用紙Ｐにおける引出し方向Ｙの先方側の側縁に当接する位置決め部９３と、カセット本体９０の内部に位置調整可能に設けられ、用紙Ｐにおける引出し方向Ｙの後方側の側縁をガイドするガイド部９４とを有している。
【００３９】
つまり、位置決め部９３は、用紙Ｐのサイズにかかわらず、引出し方向Ｙの先方側の側縁をカセット本体９０の内部の所定の基準位置Ｆに位置決めするように構成されており、ガイド部９４は、用紙Ｐのサイズに応じて、引出し方向Ｙの後方側の側縁をガイドするように構成されている。したがって、給紙カセット１８の内部においては、用紙Ｐのサイズにかかわらず、常に引出し方向Ｙの先方側の基準位置Ｆに用紙Ｐの一方の側縁が位置することになり、当該用紙Ｐが給紙部２０を経て搬送部ユニット１６に供給されたときには、担持面７２ａにおける引出し方向Ｙの先方側に用紙Ｐが位置することになる。
【００４０】
［給紙部および排紙部の構成］
給紙部２０は、図３に示すように、給紙経路１００、ピックアップローラ１０２、給紙ローラ１０４、分離ローラ１０６および搬送ローラ１０８ａ，１０８ｂ等を有している。給紙経路１００は、搬送部ユニット１６のホルダ７４よりも下方に位置する下側部分１００ａと、当該ホルダ７４の内部に位置する上側部分１００ｂとに分割されており、下側部分１００ａが筐体１２の内部に取り付けられており、上側部分１００ｂがホルダ７４の内部に取り付けられている。また、搬送ローラ１０８ａ，１０８ｂが、ホルダ７４の内部に取り付けられている。
【００４１】
そして、記録ヘッドユニット１４および搬送部ユニット１６が、筐体１２の内部の用紙Ｐへの記録を実行する位置（以下、「第１位置Ｅ１」という。）に位置づけられたときには、下側部分１００ａと上側部分１００ｂとが互いに連続され、給紙部２０がその給紙機能を発揮できるようになる。一方、記録ヘッドユニット１４および搬送部ユニット１６が、筐体１２の外部に引き出された位置（以下、「第２位置Ｅ２」という。）に位置づけられるときには、下側部分１００ａと上側部分１００ｂとが互いに分離され、下側部分１００ａが筐体１２の内部に残される。したがって、記録ヘッドユニット１４および搬送部ユニット１６を引き出すときには、下側部分１００ａが第１引出し口３８の下部内縁に引っ掛かるのを防止することができる。また、担持面７２ａが「第２態様」をとるときには、下側部分１００ａが搬送部ユニット１６を下方に回動させる妨げになるのを防止することができる。
【００４２】
なお、給紙経路１００は、必ずしも分割されている必要はなく、第１引出し口３８をより広く形成したような場合には、下側部分１００ａと上側部分１００ｂとが一体に形成されてもよい。
【００４３】
排紙部２２は、図３に示すように、排紙経路１１０、搬送ローラ１１２ａ，１１２ｂおよび排紙ローラ１１４ａ，１１４ｂを有しており、排紙経路１１０の出口が排紙口５４に連通されている。
【００４４】
［記録動作］
インクジェット記録装置１０を用いて用紙Ｐに画像を記録する際には、図２に示すように、ロック部２６が係止部８０に係止されることによって、担持面７２ａが吐出面６２ａ〜６２ｄに対向する「第１態様（図４）」となり、その状態で記録ヘッドユニット１４および搬送部ユニット１６が筐体１２の内部における第１位置Ｅ１に位置づけられる。また、給紙カセット１８の内部に用紙Ｐが収容され、引出し方向Ｙにおける用紙Ｐの位置が位置決め部９３によって規定される。
【００４５】
そして、記録動作が開始されると、図３に示すように、ピックアップローラ１０２によって給紙カセット１８から用紙Ｐが取り出され、この用紙Ｐが給紙経路１００を経て、搬送部ユニット１６の担持面７２ａに与えられ、搬送ベルト７２の回転に伴って吐出面６２ａ〜６２ｄに対向する位置に順次搬送される。そして、吐出面６２ａ〜６２ｄに形成された複数のインク吐出口（図示省略）からインクが吐出されることによって用紙Ｐの表面に画像が記録され、画像が記録された用紙Ｐが排紙経路１１０を経て「排紙トレイ」としての天板部３４ｆに排出される。
【００４６】
［ジャム処理動作］
図５はインクジェット記録装置１０のジャム処理工程を示す工程図であり、（Ａ）は、第１引出し口３８を開く工程を示す断面図、（Ｂ）は、記録ヘッドユニット１４および搬送部ユニット１６を第２位置Ｅ２に引き出す工程を示す断面図、（Ｃ）は、第２位置Ｅ２において「第２態様」をとる工程を示す断面図である。また、図６はインクジェット記録装置１０の「第２態様」をとったときの状態を示す正面図である。
【００４７】
ジャム検知装置（図示省略）等によって、記録ヘッドユニット１４と搬送部ユニット１６との間に位置する領域でジャムが発生したことが分かると、ユーザは、図５（Ａ）に示すように、第１蓋体４２を引き倒して第１引出し口３８を開放する。そして、図５（Ｂ）に示すように、記録ヘッドユニット１４および搬送部ユニット１６を、引出し方向Ｙにおける互いの位置関係を「連結機構」としてのヒンジ２４で保持しながら第１引出し口３８から引き出して、これらを第２位置Ｅ２に位置決めする。続いて、図５（Ｃ）および図６に示すように、係止部８０に対するロック部２６の係止を解除するとともに、搬送部ユニット１６を下方に回動させて、記録ヘッドユニット１４と搬送部ユニット１６との間にジャム処理のための空間Ｓ３を確保する。その後、空間Ｓ３に手を入れて、詰まった用紙Ｐを除去する。
【００４８】
［インクジェット記録装置の効果］
図５（Ｂ）に示すように、本実施形態によれば、記録ヘッドユニット１４および搬送部ユニット１６を、引出し方向Ｙにおける互いの位置関係を保持しながら第２位置Ｅ２まで引き出すことができ、第２位置Ｅ２において、担持面７２ａが、第１態様の場合よりも吐出面６２ａ〜６２ｄに対して離間する「第２態様」をとることができるので、担持面７２ａに載った用紙Ｐが吐出面６２ａ〜６２ｄを擦るのを防止することができる。
【００４９】
また、図５（Ｂ），（Ｃ）に示すように、記録ヘッドユニット１４および搬送部ユニット１６が第２位置Ｅ２に位置づけられたときには、ヒンジ２４が筐体１２の内部に位置するので、記録ヘッドユニット１４および搬送部ユニット１６の一部も筐体１２の内部に位置することになる。したがって、筐体１２の外部に突出する部分の重量を小さくして、インクジェット記録装置１０の転倒を防止することができるとともに、筐体１２の外部に突出する部分の長さを短くして、筐体１２の外部に確保すべき作業空間を小さくすることができる。
【００５０】
また、図６に示すように、担持面７２ａにおいては、常に引出し方向Ｙの先方側に用紙Ｐが位置するので、空間Ｓ３の開口部から近い位置に用紙Ｐが位置することになり、空間Ｓ３の奥部の狭くなった箇所に用紙Ｐが位置する場合よりも、ジャム処理の作業性を高めることができる。なお、図６では、用紙Ｐが位置する領域を斜線で示している。
【００５１】
また、図６に示すように、担持面７２ａが「第２態様」をとるときには、ジャムが発生した用紙Ｐを、押え部３０で押さえることによって搬送部ユニット１６側に移動させることができるので、ジャム処理の際には、用紙Ｐが吐出面６２ａ〜６２ｄを擦るのを効果的に防止することができる。
【００５２】
また、図５（Ｃ）に示すように、担持面７２ａが「第２態様」をとるときには、第２位置Ｅ２に位置する記録ヘッドユニット１４を、「第１支持部」としてのガイドレール５２によって吐出面６２ａ〜６２ｄ（図４）を水平にした状態で支持することができるとともに、第２位置Ｅ２に位置する搬送部ユニット１６を、「第２支持部」としてのストッパ部２８によって傾斜した状態で支持することができるので、記録ヘッドユニット１４および搬送部ユニット１６を手で支持する必要がなく、ジャム処理作業を容易に行うことができる。
【００５３】
そして、図５（Ａ）〜（Ｃ）に示すように、記録ヘッドユニット１４を、常に吐出面６２ａ〜６２ｄ（図４）を水平にした状態で支持することができるので、インクジェット記録ヘッド５８ａ〜５８ｄの内部の圧力バランスが崩れるのを防止することができる。
【００５４】
さらに、図６に示すように、記録ヘッドユニット１４を引き出すときでも、インクジェット記録ヘッド５８ａ〜５８ｄとインクカートリッジ５６ａ〜５６ｄとの位置関係をホルダ６０によって一定に保持することができるので、これらを連結するインクチューブの引き回しを簡略化することができる。
【００５５】
（第２実施形態）
図７は、第２実施形態に係るインクジェット記録装置１２０のジャム処理工程を示す工程図であり、（Ａ）は、第１引出し口１２２を開く工程を示す断面図、（Ｂ）は、記録ヘッドユニット１４および搬送部ユニット１６を第２位置Ｅ２に引き出す工程を示す断面図、（Ｃ）は、第２位置Ｅ２において「第２態様」をとる工程を示す断面図である。
【００５６】
第２実施形態に係るインクジェット記録装置１２０では、引出し方向Ｙが搬送方向Ｘに対して平行方向であり、ヒンジ２４の軸線（図示省略）が、搬送方向Ｘに対して直交方向に延びるように設計されている。そして、記録ヘッドユニット１４においては、複数のインクカートリッジ５６ａ〜５６ｄが、引出し方向Ｙの先方側に、引出し方向Ｙに対して直交する方向に並んで配置されている。
【００５７】
したがって、第２実施形態によれば、記録ヘッドユニット１４を第１引出し口１２２から筐体１２の外部に引き出したときに、複数のインクカートリッジ５６ａ〜５６ｄの全てが筐体１２の外部に位置することとなり、ジャム処理だけでなく、インクカートリッジ５６ａ〜５６ｄの交換を行うこともできる。つまり、図７（Ｂ）の状態でインクカートリッジ５６ａ〜５６ｄの交換を行うことができ、図７（Ｃ）の状態でジャム処理を行うことができる。
【００５８】
（他の実施形態）
上述の実施形態では、第２位置Ｅ２に位置する記録ヘッドユニット１４を「第１支持部」としてのガイドレール５２で支持するとともに、第２位置Ｅ２に位置する搬送部ユニット１６を「第２支持部」としてのストッパ部２８で支持するようにしているが、「第１支持部」および「第２支持部」の構成は、これらに限定されるものではない。たとえば、記録ヘッドユニット１４および搬送部ユニット１６に脚部を形成し、この脚部をインクジェット記録装置の設置面と同じ設置面に立てるようにしてもよい。また、「第１支持部」および「第２支持部」は、必ずしも必要ではなく、上記設置面や手で支持するようにしてもよい。
【００５９】
また、記録ヘッドユニット１４および搬送部ユニット１６を第２位置Ｅ２まで引き出した後に、担持面７２ａが「第２態様」をとるときには、搬送部ユニット１６を水平に保持した状態で、記録ヘッドユニット１４を手で持ち上げるようにしてもよいし、搬送部ユニット１６を下方に回動させるとともに、記録ヘッドユニット１４を手で持ち上げるようにしてもよい。
【００６０】
そして、「第１態様」から「第２態様」に移行するときには、記録ヘッドユニット１４および搬送部ユニット１６を第２位置Ｅ２に引き出しつつ、これらの少なくとも一方を、筐体１２に設けられたガイド（図示省略）で案内しながら徐々に開くようにしてもよい。この場合、ロック部２６は不要である。
【００６１】
さらに、第１実施形態（図５）および第２実施形態（図７）では、ヒンジ２４の軸線が、記録ヘッドユニット１４および搬送部ユニット１６の引出し方向Ｙに対して直交方向に延びているが、この軸線は、引出し方向Ｙに対して平行方向に延びていてもよい。この場合、記録ヘッドユニット１４の全ておよび搬送部ユニット１６の全てが筐体１２の外部に引き出される必要がある。
【符号の説明】
【００６２】
Ｅ１…  第１位置
Ｅ２…  第２位置
Ｐ…  用紙
Ｒ…  用紙搬送経路
Ｓ１…  上側領域
Ｓ２…  下側領域
Ｓ３…  空間
Ｔ…  退避スペース
Ｘ…  搬送方向
Ｙ…  引出し方向
１０…  インクジェット記録装置
１２…  筐体
１４…  記録ヘッドユニット
１６…  搬送部ユニット
１８…  給紙カセット
２０…  給紙部
２２…  排紙部
２４…  ヒンジ（連結機構）
２６…  ロック部
２８…  ストッパ部（第２支持部）
３０…  押え部
３８…  第１引出し口
４２…  第１蓋体
５０…  仕切板
５２ａ…  長孔
５２…  ガイドレール（第１支持部）
５６ａ〜５６ｄ…  インクカートリッジ
５８ａ〜５８ｄ…  インクジェット記録ヘッド
６０…  ホルダ
６２ａ〜６２ｄ…  吐出面
６６ａ，６６ｂ…  ガイドローラ
７０ａ，７０ｂ…  ローラ
７２ａ…  担持面
７２…  搬送ベルト
７４…  ホルダ
８０…  係止部
９２…  位置決め部
９４…  ガイド部
１２０…  インクジェット記録装置
１２２…  第１引出し口
【図１】
2011212945.tif 000003
【図２】
2011212945.tif 000004
【図３】
2011212945.tif 000005
【図４】
2011212945.tif 000006
【図５】
2011212945.tif 000007
【図６】
2011212945.tif 000008
【図７】
2011212945.tif 000009